(57)【要約】      （修正有）【課題】盗撮を未然に防止する認証システム、認証方法、プログラム及び当該プログラムを記録したコンピュータ読み取り可能な記録媒体を提供する。【解決手段】盗撮防止端末２は、カメラ３６の起動に応じた起動情報又はカメラ３６の停止に応じた停止情報を送信させる起動確認要求を撮影実施端末３に送信する起動確認要求部２２ａを備えている。撮影実施端末３は、起動確認要求に基づいて、カメラ３６の起動又は停止を判定する起動判定部３２ａと、起動判定部３２ａの判定に基づいて起動情報又は停止情報を盗撮防止端末２に送信する通知部３２ｂと、を備えている。【選択図】図１
2016213679.tif 000002
【特許請求の範囲】
【請求項１】
撮影手段を備えた撮影実施端末による盗撮を盗撮防止端末で防止する盗撮防止システムであって、
前記盗撮防止端末は、
前記撮影手段の起動に応じた起動情報又は前記撮影手段の停止に応じた停止情報を前記盗撮防止端末に送信させる起動確認要求を前記撮影実施端末に送信する起動確認要求手段を備え、
前記撮影実施端末は、
前記起動確認要求に基づいて、前記撮影手段の起動又は停止を判定する起動判定手段と、
該起動判定手段の判定に基づいて、前記起動情報又は停止情報を前記盗撮防止端末に送信する通知手段と、
を備えていることを特徴とする盗撮防止システム。
【請求項２】
前記盗撮防止端末は、前記起動情報に基づいて、起動中の前記撮影手段を停止するよう警告する警告要求を前記撮影実施端末に送信する警告要求手段を備え、
前記撮影実施端末は、前記警告要求に基づいて、前記撮影実施端末に警告処理を行う警告実施手段を備えていることを特徴とする請求項１記載の盗撮防止システム。
【請求項３】
前記警告要求手段は、所定時間毎に前記警告要求を繰り返し送信することを特徴とする請求項２記載の盗撮防止システム。
【請求項４】
前記警告要求は、前記撮影手段の停止を促す視覚メッセージであり、
前記警告実施手段は、前記視覚メッセージを表示部に表示することを特徴とする請求項２又は３記載の盗撮防止システム。
【請求項５】
前記警告要求は、前記撮影手段の停止を促す音声メッセージであり、
前記警告実施手段は、前記音声メッセージを音声出力部に出力することを特徴とする請求項２又は３記載の盗撮防止システム。
【請求項６】
前記盗撮防止端末は、前記警告要求手段が警告要求を送信した後に、前記撮影手段を強制的に停止させる停止信号を前記撮影実施端末に送信する撮影手段停止手段を備えていることを特徴とする請求項２乃至５の何れか１項記載の盗撮防止システム。
【請求項７】
撮影手段を備えた撮影実施端末による盗撮を盗撮防止端末で防止する盗撮防止方法であって、
前記撮影手段の起動に応じた起動情報又は前記撮影手段の停止に応じた停止情報を前記盗撮防止端末に送信させる起動確認要求を前記撮影実施端末に送信する起動確認要求工程と、
前記起動確認要求に基づいて、前記撮影手段の起動又は停止を判定する起動判定工程と、
該起動判定工程の判定結果に基づいて、前記起動情報又は停止情報を前記盗撮防止端末に送信する通知工程と、
を含んでいることを特徴とする盗撮防止方法。
【請求項８】
撮影手段を備えた撮影実施端末による盗撮を盗撮防止端末で防止する盗撮防止システムをコンピュータに実行させるためのプログラムであって、
前記撮影手段の起動に応じた起動情報又は前記撮影手段の停止に応じた停止情報を前記盗撮防止端末に送信させる起動確認要求を前記撮影実施端末に送信する起動確認要求ステップと、
前記起動確認要求に基づいて、前記撮影手段の起動又は停止を判定する起動判定ステップと、
該起動判定ステップの判定結果に基づいて、前記起動情報又は停止情報を前記盗撮防止端末に送信する通知ステップと、
を含んでいることを特徴とするプログラム。
【請求項９】
請求項８記載の盗撮防止システムを実行するためのプログラムを記録したコンピュータ読み取り可能な記録媒体。
【発明の詳細な説明】
【技術分野】
【０００１】
本発明は、盗撮防止システム、盗撮防止方法、プログラム及び当該プログラムを記録したコンピュータ読み取り可能な記録媒体に関する。
【背景技術】
【０００２】
近年、携帯電話等のカメラ機能を備えたデジタルカメラ、デジタルビデオカメラ、携帯電話機、ＰＤＡ（Personal Digital Assistant）、タブレットＰＣ等のカメラ機能付き電子機器を用いた盗撮が社会問題となっている。特に、電子機器の小型化により電子機器の利便性が高まる一方、盗撮被害は深刻になっている。
【０００３】
特許文献１では、撮影実施端末による撮影実施を示す撮影実施情報を受信して、報知対象端末に撮影実施情報を送信する撮影実施情報報知部を備えた盗撮防止システムが開示されている。
【先行技術文献】
【特許文献】
【０００４】
【特許文献１】特開２０１１−４４９３５号公報。
【発明の概要】
【発明が解決しようとする課題】
【０００５】
しかしながら、上述したような盗撮防止システムでは、撮影実施端末による盗撮が実施された後に撮影実施を報知するため、盗撮そのものを抑制することが難しいという問題があった。
【０００６】
そこで、盗撮を未然に防止するために解決すべき技術的課題が生じてくるのであり、本発明は、この課題を解決することを目的とする。
【課題を解決するための手段】
【０００７】
本発明は、上記目的を達成するために提案するものであり、請求項１記載の発明は、撮影手段を備えた撮影実施端末による盗撮を盗撮防止端末で防止する盗撮防止システムであって、前記盗撮防止端末は、前記撮影手段の起動に応じた起動情報又は前記撮影手段の停止に応じた停止情報を前記盗撮防止端末に送信させる起動確認要求を前記撮影実施端末に送信する起動確認要求手段を備え、前記撮影実施端末は、前記起動確認要求に基づいて、前記撮影手段の起動又は停止を判定する起動判定手段と、該起動判定手段の判定に基づいて、前記起動情報又は停止情報を前記盗撮防止端末に送信する通知手段と、を備えていることを特徴とする盗撮防止システム。
【０００８】
この構成によれば、撮影実施端末が、盗撮防止端末からの起動確認要求に応じて、撮影手段の起動又は停止を盗撮防止端末に通知することにより、盗撮防止端末と通信可能な近距離で撮影手段を起動している撮影実施端末の有無が確認可能なため、盗撮を未然に防止することができる。
【０００９】
請求項２記載の発明は、請求項１記載の盗撮防止システムの構成に加えて、前記盗撮防止端末は、前記起動情報に基づいて、起動中の前記撮影手段を停止するよう警告する警告要求を前記撮影実施端末に送信する警告要求手段を備え、前記撮影実施端末は、前記警告要求に基づいて、前記撮影実施端末に警告処理を行う警告実施手段を備えている盗撮防止システムを提供する。
【００１０】
この構成によれば、盗撮防止端末は撮影手段が起動している撮影実施端末に対して撮影手段を停止するように警告要求を発し、該警告要求に応じて警告処理が実行されることにより、撮影手段の停止が促されるため、盗撮を防止することができる。
【００１１】
請求項３記載の発明は、請求項２記載の盗撮防止システムの構成に加えて、前記警告要求手段は、所定時間毎に前記警告要求を繰り返し送信する盗撮防止システムを提供する。
【００１２】
この構成によれば、盗撮防止端末が警告要求を撮影実施端末に繰り返し発することにより、撮影手段の停止が更に促されるため、盗撮をさらに防止することができる。
【００１３】
請求項４記載の発明は、請求項２又は３項記載の盗撮防止システムの構成に加えて、前記警告要求は、前記撮影手段の停止を促す視覚メッセージであり、前記警告実施手段は、前記視覚メッセージを表示部に表示する盗撮防止システムを提供する。
【００１４】
この構成によれば、盗撮防止端末から発せられた警告要求に応じて、撮影実施端末が視覚メッセージを表示部に表示することにより、撮影実施端末のユーザに撮影手段を停止するよう促すことができるため、盗撮を防止することができる。
【００１５】
請求項５記載の発明は、請求項２又は３記載の盗撮防止システムの構成に加えて、前記警告要求は、前記撮影手段の停止を促す音声メッセージであり、前記警告実施手段は、前記音声メッセージを音声出力部に出力する盗撮防止システムを提供する。
【００１６】
この構成によれば、盗撮防止端末から発せられた警告要求に応じて、撮影実施端末が音声メッセージを音声出力部に出力することにより、撮影実施端末のユーザに撮影手段を停止するよう促すことができるため、盗撮を防止することができる。
【００１７】
請求項６記載の発明は、請求項２乃至５の何れか１項記載の盗撮防止システムの構成に加えて、前記盗撮防止端末は、前記警告要求手段が警告要求を送信した後に、前記撮影手段を強制的に停止させる停止信号を前記撮影実施端末に送信する撮影手段停止手段を備えている盗撮防止システムを提供する。
【００１８】
この構成によれば、警告要求に応じた警告処理を実行した後であっても撮影実施端末が撮影手段を停止しない場合に、撮影実施端末の撮影手段が強制的に停止されるため、盗撮を確実に防止することができる。
【００１９】
請求項７記載の発明は、撮影手段を備えた撮影実施端末による盗撮を盗撮防止端末で防止する盗撮防止方法であって、前記撮影手段の起動に応じた起動情報又は前記撮影手段の停止に応じた停止情報を前記盗撮防止端末に送信させる起動確認要求を前記撮影実施端末に送信する起動確認要求工程と、前記起動確認要求に基づいて、前記撮影手段の起動又は停止を判定する起動判定工程と、該起動判定工程の判定結果に基づいて、前記起動情報又は停止情報を前記盗撮防止端末に送信する通知工程と、を含んでいる盗撮防止方法を提供する。
【００２０】
この構成によれば、撮影実施端末が盗撮防止端末からの起動確認要求に応じて撮影手段の起動又は停止を盗撮防止端末に通知することにより、盗撮防止端末と通信可能な近距離で撮影手段を起動している撮影実施端末の有無が確認可能なため、盗撮を未然に防止することができる。
【００２１】
請求項８記載の発明は、撮影手段を備えた撮影実施端末による盗撮を盗撮防止端末で防止する盗撮防止システムをコンピュータに実行させるためのプログラムであって、前記撮影手段の起動に応じた起動情報又は前記撮影手段の停止に応じた停止情報を前記盗撮防止端末に送信させる起動確認要求を前記撮影実施端末に送信する起動確認要求ステップと、前記起動確認要求に基づいて、前記撮影手段の起動又は停止を判定する起動判定ステップと、該起動判定ステップの判定結果に基づいて、前記起動情報又は停止情報を前記盗撮防止端末に送信する通知ステップと、を含んでいるプログラムを提供する。
【００２２】
この構成によれば、撮影実施端末が盗撮防止端末からの起動確認要求に応じて撮影手段の起動又は停止を盗撮防止端末に通知して、盗撮防止端末と通信可能な近距離で撮影手段を起動している撮影実施端末の有無を確認して盗撮を未然に防止する盗撮防止システムを実行することができる。
【００２３】
請求項９記載の発明は、請求項８記載の盗撮防止システムを実行するためのプログラムを記録したコンピュータ読み取り可能な記録媒体を提供する。
【００２４】
この構成によれば、撮影実施端末が盗撮防止端末からの起動確認要求に応じて撮影手段の起動又は停止を盗撮防止端末に通知して、盗撮防止端末と通信可能な近距離で撮影手段を起動している撮影実施端末の有無を確認して盗撮を未然に防止する盗撮防止システムを実行することができる。
【発明の効果】
【００２５】
本発明に係る盗撮防止システム及び盗撮防止方法は、撮影実施端末が盗撮防止端末からの起動確認要求に応じて撮影手段の起動又は停止を盗撮防止端末に通知することにより、盗撮防止端末と通信可能な近距離で撮影手段を起動している撮影実施端末の有無が確認可能なため、盗撮を未然に防止することができる。
【００２６】
また、本発明に係るプログラム又はこのプログラムを記録した記録媒体は、撮影実施端末が盗撮防止端末からの起動確認要求に応じて撮影手段の起動又は停止を盗撮防止端末に通知して、盗撮防止端末と通信可能な近距離で撮影手段を起動している撮影実施端末の有無を確認して盗撮を未然に防止する盗撮防止システムを実行することができる。
【図面の簡単な説明】
【００２７】
【図１】本発明の一実施例に係る盗撮防止システムを示すブロック図。
【図２】本発明の第１の実施例に係る盗撮防止方法を示すフローチャート。
【図３】本発明の第２の実施例に係る盗撮防止方法を示すフローチャート。
【図４】本発明の第３の実施例に係る盗撮防止方法を示すフローチャート。
【発明を実施するための形態】
【００２８】
本発明に係る盗撮防止システムは、盗撮を未然に防止するという目的を達成するために、撮影手段を備えた撮影実施端末による盗撮を盗撮防止端末で防止する盗撮防止システムであって、盗撮防止端末は、撮影手段の起動に応じた起動情報又は撮影手段の停止に応じた停止情報を盗撮防止端末に送信させる起動確認要求を撮影実施端末に送信する起動確認要求手段を備え、撮影実施端末は、起動確認要求に基づいて、撮影手段の起動又は停止を判定する起動判定手段と、起動判定手段の判定に基づいて、起動情報又は停止情報を盗撮防止端末に送信する通知手段と、を備えていることにより実現した。
【００２９】
また、本発明に係る認証方法は、盗撮を未然に防止するという目的を達成するために、撮影手段を備えた撮影実施端末による盗撮を盗撮防止端末で防止する盗撮防止方法であって、撮影手段の起動に応じた起動情報又は撮影手段の停止に応じた停止情報を盗撮防止端末に送信させる起動確認要求を撮影実施端末に送信する起動確認要求工程と、起動確認要求に基づいて、撮影手段の起動又は停止を判定する起動判定工程と、起動判定工程の判定結果に基づいて、起動情報又は停止情報を盗撮防止端末に送信する通知工程と、を含んでいることにより実現した。
【００３０】
また、本発明に係るプログラムは、盗撮を未然に防止するという目的を達成するために、撮影手段を備えた撮影実施端末による盗撮を盗撮防止端末で防止する盗撮防止システムをコンピュータに実行させるためのプログラムであって、撮影手段の起動に応じた起動情報又は撮影手段の停止に応じた停止情報を盗撮防止端末に送信させる起動確認要求を撮影実施端末に送信する起動確認要求ステップと、起動確認要求に基づいて、撮影手段の起動又は停止を判定する起動判定ステップと、起動判定ステップの判定結果に基づいて、起動情報又は停止情報を盗撮防止端末に送信する通知ステップと、を含んでいることにより実現した。
【実施例】
【００３１】
以下、本発明の一実施例に係る盗撮防止システム１について、図面に基づいて説明する。図１は、盗撮防止システム１の構成を示すブロック図である。
【００３２】
盗撮防止システム１は、盗撮防止端末２と撮影実施端末３とを備えている。盗撮防止端末２は、ビデオカメラ等による盗撮被害を回避したい者が所持する電子機器である。撮影実施端末３は、ビデオカメラ等を備えた電子機器である。盗撮防止端末２及び撮影実施端末３は、例えば、携帯電話機であるが、これに限定されるものではない。
【００３３】
盗撮防止端末２は、記録部２１と、制御部２２と、近接通信部２３と、表示部としてのディスプレイ２４と、ユーザのディスプレイ２４へのタッチ入力を検出するタッチパネル２５と、を備えている。
【００３４】
記憶部２１は、盗撮防止端末２の動作に必要なプログラム及び各種データを記憶する外部記憶装置であって、例えば、フラッシュメモリ等の半導体型記憶媒体、その他の任意の記録媒体を用いることができる。
【００３５】
制御部２２は、図示しないＣＰＵ（Central Processing Unit）、ＲＯＭ（Read Only Memory）、ＲＡＭ（Random Access Memory）等を備えている。ＣＰＵが、ＲＯＭ等に記憶されたプログラムを実行することにより、盗撮防止端末２を動作させることができる。なお、プログラムは、盗撮防止端末２と分離可能でコンピュータ読み取り可能な記憶媒体に記憶されても構わない。コンピュータ読み取り可能な記憶媒体とは、磁気ディスク、光磁気ディスク、ＣＤ−ＲＯＭ、ＤＶＤ−ＲＯＭ、半導体メモリ等をいう。また、プログラムは、通信回線を介して盗撮防止端末２に配信されるものであっても構わない。制御部２２は、起動確認要求部２２ａ、警告要求部２２ｂ、警告回数判定部２２ｃに機能分割される。
【００３６】
近接通信部２３は、撮影実施端末３との間で無線通信を行うものである。近接通信部２３は、盗撮防止端末２に組み込まれたフェリカ（Felica：登録商標）等非接触型ＩＣカードのアンテナ等である。
【００３７】
ディスプレイ２４は、制御部２２に表示制御されている。ディスプレイ２４は、例えば、液晶ディスプレイ、有機ＥＬディスプレイ等を用いても構わない。
【００３８】
タッチパネル２５は、ディスプレイ２４上に配置されており、ディスプレイ２４上に表示されたソフトキーに対する受信者の入力操作を受け付けるものである。タッチパネル２５は、タッチ入力を検出可能なものであれば良く、静電容量方式、抵抗膜方式、音響パルス認識方式、超音波表面弾性波方式、赤外遮光方式、画像認識方式等の何れであっても構わない。また、操作装置は、例えば、入力情報に対応するハードキーであっても、ユーザの音声入力に対応する音声入力方式であっても構わない。
【００３９】
撮影実施端末３は、記録部３１と、制御部３２と、近接通信部３３と、表示部としてのディスプレイ３４と、撮影実施端末３のユーザのディスプレイ３４へのタッチ入力を検出するタッチパネル３５と、撮影手段としてのカメラ３６と、スピーカ３７と、を備えている。
【００４０】
記憶部３１は、撮影実施端末３の動作に必要なプログラム及び各種データを備える外部記憶装置であって、例えば、フラッシュメモリ等の半導体型記憶媒体、その他の任意の記録媒体を用いることができる。記憶部３２には、撮影実施端末３固有の情報、例えば、撮影実施端末３の電話番号、撮影実施端末３の製造番号、ＧＰＳによって得られる撮影実施端末３の位置情報、撮影実施端末３に組み込まれた非接触型ＩＣの製造番号等の少なくとも１つを含む発信者端末３を特定し得るものが記憶されている。
【００４１】
制御部３２は、図示しないＣＰＵ、ＲＯＭ、ＲＡＭ等を備えている。制御部３２は、ＲＯＭ等に記憶されたプログラムを実行することにより、撮影実施端末３を動作させることができる。制御部３２は、起動判定部３２ａ、通知部３２ｂ、警告実施部３２ｃに機能分割される。
【００４２】
近接通信部３３は、盗撮防止端末２との間で無線通信を行うものである。近接通信部３３は、撮影実施端末３に組み込まれたフェリカ等の非接触型ＩＣカードのアンテナ等である。
【００４３】
ディスプレイ３４は、制御部３２に表示制御されている。ディスプレイ３４は、例えば、液晶ディスプレイ、有機ＥＬディスプレイ等を用いても構わない。
【００４４】
タッチパネル３５は、ディスプレイ３４上に配置されており、ディスプレイ３４上に表示されたソフトキーに対するユーザの入力操作を受け付けるものである。タッチパネル２５は、タッチ入力を検出可能なものであれば良く、静電容量方式、抵抗膜方式、音響パルス認識方式、超音波表面弾性波方式、赤外遮光方式、画像認識方式等の何れであっても構わない。また、操作装置は、例えば、入力情報に対応するハードキーであっても、ユーザの音声入力に対応する音声入力方式であっても構わない。
【００４５】
盗撮防止端末２と撮影実施端末３とは、近接通信部２３、３３を介した近接通信によって接続可能である。近接通信には、ＮＦＣ（Near Field Communication）等の非接触通信、又は、Ｂｌｕｅｔｏｏｔｈ（登録商標）、Ｗｉ−Ｆｉ等の近距離無線通信等を用いる。特に、非接触通信は、近距離無線通信に比べて通信距離が短いものの、初期設定不要で盗撮防止端末２と撮影実施端末３とを接続することができる。
【００４６】
次に、本発明に係る盗撮防止方法の第１実施例について、図２に基づいて説明する。図２は、本発明の第１の実施例に係る盗撮防止方法を示すフローチャートである。
【００４７】
まず、盗撮防止端末２内に記憶されたプログラムが起動されると（Ｓ１）、プログラムは処理リストを作成し、起動確認要求部２２ａは、撮影実施端末３に対してカメラ起動確認要求を送信する（Ｓ２）。プログラムの起動は、盗撮防止端末２のユーザが手動で行っても、盗撮防止端末２が自動で行っても構わない。ユーザが手動でプログラムを起動させる場合には、ディスプレイ２４上に表示される起動ボタン等に対するタッチ入力をタッチパネル２５が検出し、該タッチ入力に応じて制御部２２が記憶部２１内に記憶されたプログラムを呼び出して起動させる。また、盗撮防止端末２が自動でプログラムを起動させる場合には、ユーザはプログラムの自動起動条件を予め設定する。プログラムの自動起動条件としては、例えば、ユーザが階段を昇るときに合致するように、盗撮防止端末２が一定時間に亘って所定角以上に傾いた場合等が考えられる。
【００４８】
撮影実施端末３が、カメラ起動確認要求を受信すると（Ｓ３）、起動判定部３２ａは、カメラ３６の起動又は停止を判定し、通知部３２ｂが、カメラ３６の起動に応じたカメラ起動情報又はカメラ３６の停止に応じたカメラ停止情報を盗撮防止端末２に送信する（Ｓ４）。
【００４９】
盗撮防止端末２の制御部２２は、撮影実施端末３から送信されたカメラ起動情報又はカメラ停止情報を受信する（Ｓ５）。なお、撮影実施端末３が盗撮防止端末２との通関可能範囲から外れる等して、盗撮防止端末２が所定時間内に撮影実施端末３から応答を受信しない場合には、制御部２２は起動中のカメラはないものとして、カメラ停止情報を受信したものとみなす。制御部２２は、受信したカメラ起動情報又はカメラ停止情報に応じて、盗撮防止端末２と通信可能な近距離でカメラ３６を起動している撮影実施端末３の有無をディスプレイ２４に表示するようにしても構わない。その後、プログラムは終了する（Ｓ６）。
【００５０】
上述したように、本実施例に係る発明は、撮影実施端末３が、盗撮防止端末２からの起動確認要求に応じて、カメラ３６の起動又は停止を盗撮防止端末２に通知することにより、盗撮防止端末２と通信可能な近距離でカメラ３６を起動している撮影実施端末３の有無が盗撮防止端末２のユーザに通知されるため、盗撮を未然に防止することができる。
【００５１】
次に、本発明に係る盗撮防止方法の第２実施例について、図３に基づいて説明する。図３は、本発明の第２の実施例に係る盗撮防止方法を示すフローチャートである。なお、上述した第１実施例と重複する説明は省略する。
【００５２】
まず、盗撮防止端末２内に記憶されたプログラムが起動されると（Ｓ１０）、起動確認要求部２２ａは、撮影実施端末３に対してカメラ起動確認要求を送信する（Ｓ１１）。
【００５３】
撮影実施端末３の起動判定部３２ａは、カメラ起動確認要求を受信すると（Ｓ１２）、カメラ３６の起動又は停止を判定する（Ｓ１３）。カメラ３６が起動している場合には（Ｓ１３のＹｅｓ）、通知部３２ｂは、カメラ３６の起動に応じたカメラ起動情報を盗撮防止端末２に送信する（Ｓ１４）。
【００５４】
盗撮防止端末２の制御部２２は、撮影実施端末３から送信されたカメラ起動情報を受信する（Ｓ１５）。警告要求部２２ｂは、受信したカメラ起動情報に応じて、撮影実施端末３に対して警告要求を発する（Ｓ１６）。警告要求の内容は、任意に設定可能であり、例えば、カメラ３６の停止を促す内容の視覚メッセージや音声メッセージ等を撮影実施端末３６のユーザに発するものが考えられる。
【００５５】
撮影実施端末３が盗撮防止端末２から発信された警告要求を受信すると（Ｓ１７）、警告実施部３２ｃは、警告要求の内容に応じた警告処理を実施する（Ｓ１８）。警告実施部３２ｃが実施する警告処理は、例えば、ディスプレイ３４に視覚メッセージを表示したり、スピーカ３７から音声メッセージを出力させる等である。
【００５６】
撮影実施端末３の制御部３２は、警告処理実施後に警告終了通知を盗撮防止端末２に発信する（Ｓ１９）。
【００５７】
盗難防止端末２は、警告終了通知を受信すると（Ｓ２０）、工程Ｓ１１に戻り、起動確認要求部２２ａは、撮影実施端末３に対してカメラ起動確認要求を再び送信する。
【００５８】
工程Ｓ１３に戻り、起動判定部３２ａがカメラ３６を停止していると判定した場合には（Ｓ１３のＮｏ）、通知部３２ｂは、カメラ３６の停止に応じたカメラ停止情報を盗撮防止端末２に送信する（Ｓ２１）。
【００５９】
盗撮防止端末２の制御部２２は、撮影実施端末３から送信されたカメラ停止情報を受信する（Ｓ２２）と、プログラムを終了させる（Ｓ２３）。
【００６０】
上述したように、本実施例に係る発明は、盗撮防止端末２はカメラ３６が起動している撮影実施端末３に対してカメラ３６を停止するように警告要求を発し、該警告要求に応じて警告処理が実行されることにより、撮影実施端末３のユーザに対してカメラ３６の停止を促すことができ、盗撮を防止することができる。
【００６１】
次に、本発明に係る盗撮防止方法の第３実施例について、図４に基づいて説明する。図４は、本発明の第３の実施例に係る盗撮防止方法を示すフローチャートである。なお、上述した第１実施例、第２実施例と重複する説明は省略する。
【００６２】
まず、盗撮防止端末２内に記憶されたプログラムが起動されると（Ｓ３０）、起動確認要求部２２ａは、撮影実施端末３に対してカメラ起動確認要求を送信する（Ｓ３１）。
【００６３】
撮影実施端末３の起動判定部３２ａは、カメラ起動確認要求を受信すると（Ｓ３２）、カメラ３６の起動又は停止を判定する（Ｓ３３）。カメラ３６が起動している場合には（Ｓ３３のＹｅｓ）、通知部３２ｂは、カメラ３６の起動に応じたカメラ起動情報を盗撮防止端末２に送信する（Ｓ３４）。
【００６４】
盗撮防止端末２の制御部２２は、撮影実施端末３から送信されたカメラ起動情報を受信する（Ｓ３５）。警告回数判定部２２ｃは、過去の警告要求の有無、すなわち、直後に発する警告要求が１回目か否かを判定する（Ｓ３６）。
【００６５】
過去に警告要求を発していない場合（Ｓ３６でＹｅｓ）、警告要求部２２ｂは、受信したカメラ起動情報に応じて、撮影実施端末３に対して第１の警告要求を発する（Ｓ３７）。第１の警告要求の内容は、任意に設定可能であり、例えば、カメラ３６の停止を促す内容の視覚メッセージや音声メッセージ等を撮影実施端末３６のユーザに発するものが考えられる。
【００６６】
撮影実施端末３が盗撮防止端末２から発信された第１の警告要求を受信すると（Ｓ３８）、警告実施部３２ｃは、第１の警告要求の内容に応じた警告処理を実施する（Ｓ３９）。警告実施部３２ｃが実施する第１の警告処理は、例えば、ディスプレイ３４に視覚メッセージを表示したり、スピーカ３７から音声メッセージを出力させる等である。
【００６７】
撮影実施端末３の制御部３２は、第１の警告要求に応じた警告処理実施後に警告終了通知を盗撮防止端末２に発信する（Ｓ４０）。
【００６８】
盗難防止端末２は、第１の警告要求に応じた警告終了通知を受信すると（Ｓ４１）、工程Ｓ３２に戻り、起動確認要求部２２ａは、撮影実施端末３に対してカメラ起動確認要求を再び送信する。
【００６９】
工程Ｓ３７に戻り、過去に警告要求を発している場合（Ｓ３６でＮｏ）、警告要求部２２ｂは、撮影実施端末３に対して第２の警告要求を発する（Ｓ４２）。第２の警告要求の内容は、任意に設定可能であるが、第１の警告要求より厳しいものに設定することが好ましい。例えば、第１の警告要求が、カメラ３６の停止を促す視覚メッセージに設定された場合には、第２の警告要求は、カメラ３６を強制的に停止させる停止信号等に設定することが考えられる。なお、工程Ｓ３６において、警告回数判定部２２ｃの判定基準は、過去に発した警告要求の有無に限定されるものではなく、例えば、過去に発した警告要求の数が予め設定された所定回数に達しているか否か等であっても構わない。
【００７０】
撮影実施端末３が盗撮防止端末２から発信された第２の警告要求を受信すると（Ｓ４３）、警告実施部３２ｃは、第２の警告要求の内容に応じた警告処理を実施する（Ｓ４４）。警告実施部３２ｃが実施する第２の警告処理は、例えば、カメラ３６の強制停止等が考えられる。
【００７１】
撮影実施端末３の制御部３２は、第２の警告要求に応じた警告処理実施後に警告終了通知を盗撮防止端末２に発信する（Ｓ４５）。
【００７２】
盗難防止端末２は、第１の警告要求に応じた警告終了通知を受信すると（Ｓ４６）、工程Ｓ３２に戻り、起動確認要求部２２ａは、撮影実施端末３に対してカメラ起動確認要求を再び送信する。
【００７３】
工程Ｓ３４に戻り、起動判定部３２ａがカメラ３６を停止していると判定した場合には（Ｓ３３のＮｏ）、通知部３２ｂは、カメラ３６の停止に応じたカメラ停止情報を盗撮防止端末２に送信する（Ｓ４７）。
【００７４】
盗撮防止端末２の制御部２２は、撮影実施端末３から送信されたカメラ停止情報を受信する（Ｓ４８）と、プログラムを終了させる（Ｓ４９）。
【００７５】
上述したように、本実施例に係る発明は、盗撮防止端末２はカメラ３６が起動している撮影実施端末３に対してカメラ３６を停止するように警告要求を発し、該警告要求に応じて警告処理が実行され、また、撮影実施端末３がカメラ３６を起動し続ける限り、盗撮防止端末２が警告要求を撮影実施端末３に繰り返し発することにより、カメラ３６の停止が促されるため、盗撮を防止することができる。
【００７６】
なお、本発明は、本発明の精神を逸脱しない限り種々の改変をなすことができ、そして、本発明が該改変されたものにも及ぶことは当然である。
【符号の説明】
【００７７】
１  ・・・  盗撮防止システム
２  ・・・  盗撮防止端末
２１・・・  記憶部
２２・・・  制御部
２２ａ・・・起動確認要求部
２２ｂ・・・警告要求部
２２ｃ・・・警告回数判定部
２３・・・  近接通信部
２４・・・  ディスプレイ
２５・・・  タッチパネル
３  ・・・  撮影実施端末
３１・・・  記憶部
３２・・・  制御部
３２ａ・・・起動判定部
３２ｂ・・・通知部
３２ｃ・・・警告実施部
３３・・・  近接通信部
３４・・・  ディスプレイ
３５・・・  タッチパネル
３６・・・  カメラ
３７・・・  スピーカ
【図１】
2016213679.tif 000003
【図２】
2016213679.tif 000004
【図３】
2016213679.tif 000005
【図４】
2016213679.tif 000006